(57)【要約】【課題】  各居住者に家事の分担と協働を習慣化させつつ、雑多な印象を与えずに快適に寛ぐことのできる住宅を提供することを目的とする。【解決手段】  住宅１は、洗濯物の洗濯、乾燥、畳みを行うための洗濯室６と、リビング５の一部である畳敷きの畳コーナー５２と、を具備しており、洗濯室６と畳コーナー５２との間で洗濯物を受渡し可能な収納部７を設置している。【選択図】図４
2020105870.tif 000002
【特許請求の範囲】
【請求項１】
洗濯物の洗濯、乾燥、畳みを行うための洗濯室と、リビングの一部である畳敷きの畳コーナーと、を具備する住宅において、
前記洗濯室と前記畳コーナーとの間で前記洗濯物を受渡し可能な収納部を設置することを特徴とする住宅。
【請求項２】
前記洗濯室は、キッチンに隣接するとともに調理用電化製品を収納するキッチンクロークと、脱衣洗面室と、にそれぞれ行き来可能に隣接することを特徴とする請求項１に記載の住宅。
【請求項３】
前記洗濯室及び前記畳コーナーは、洗濯物を干すための物干しバーを天井に着脱自在に設置されることを特徴とする請求項１又は請求項２のいずれかに記載の住宅。
【請求項４】
前記洗濯室は、カウンタを有することを特徴とする請求項１から請求項３のいずれかに記載の住宅。
【請求項５】
前記収納部は、前記洗濯室側から開閉可能な第１扉を設置されるとともに、前記畳コーナー側から開閉可能な第２扉を設置されることを特徴とする請求項１から請求項４のいずれかに記載の住宅。
【請求項６】
玄関土間、履物を収納するシューズクローク、身支度を整える身支度室、前記リビング間を結ぶ身支度動線を備えることを特徴とする請求項１から請求項５のいずれかに記載の住宅。
【請求項７】
前記玄関土間〜玄関ホール間を結ぶ動線と、当該玄関土間〜前記シューズクローク間を結ぶ動線と、を分けていることを特徴とする請求項６に記載の住宅。
【発明の詳細な説明】
【技術分野】
【０００１】
本発明は、洗濯物を洗濯するための洗濯室と、リビングの一部である畳敷きの畳コーナーと、の間に、両室から使用可能な収納部を設置する住宅に関する。
【背景技術】
【０００２】
昨今、共働きの夫婦が増加したことで、特定の居住者が１人で家事全般を行うのではなく、居住者全員で家事を分担し、各自が家事に参加する意識を持つことが重要とされている。そこで、居住者に家事の参加を促す間取りの住宅が提案されている。
【０００３】
例えば、特許文献１に記載の発明では、洗濯室に行き来可能に隣接し、洗濯物を乾かして畳むための乾燥室と、家族が集うリビングダイニング領域とを扉レスで連通可能に構成している住宅について記載されている。この発明では、家事スペースである洗面室、洗濯室、乾燥室を連続配置することにより洗濯を短い動線で効率よく行うことができ、また、乾燥室内部がリビングダイニング領域に滞在する居住者の視界に入ることで居住者に家事の参加を促すことができる点が開示されている。
【０００４】
一方、特許文献２に記載の発明では、玄関と行き来可能にロッカールームを配置し、居住者は外出に必要な外出着、雨具、鞄類をロッカールームに配置された個人用ロッカーに収納することで、各自が整理整頓に対する責任感を持つことができ、室内の様々な場所に物が散在することを防止できる点が記載されている。
【先行技術文献】
【特許文献】
【０００５】
【特許文献１】特開２０１８−１７８５３６
【特許文献２】特開２０１０−２５５２９６
【発明の概要】
【発明が解決しようとする課題】
【０００６】
しかしながら、特許文献１に記載の発明は、乾燥室からリビングダイニング領域への洗濯物の受渡しは容易であるものの、リビングダイニング領域で洗濯物が生じた場合に、リビングダイニング領域を一端出て洗面室を通り、洗濯室へ移動しなければ洗濯物の持ち運びをすることができないため、居住者は洗濯物の持ち運びを習慣化できずリビングダイニング領域に汚れた部屋着や靴下などの衣類が散在する可能性がある。また昨今、特許文献１に記載の住宅のように、居住者同士の団欒場所となるリビングやダイニングを仕切らずひと続きの空間とする構成の住宅が多いが、乾燥室がリビングダイニング領域と扉レスで連通しているため、家族が集い食事をするリビングダイニング領域からは雑多な印象の乾燥室内部を常時視認することになり、リビングダイニング領域でリラックスして快適に寛ぐことが難しい。そして、特許文献２に記載の発明においても、リビングやダイニングなどの共用部と洗濯を行う水廻り空間とが離れているため、リビングやダイニングで洗濯が必要な衣類が生じた場合であっても、汚れた衣類の洗濯室までの持ち運びを習慣化し難い。
【０００７】
そこで、本発明は、上述した課題を鑑みてなされたものであって、各居住者に家事の分担を習慣化させつつ、雑多な印象を与えず快適に寛ぐことのできる住宅を提供することを目的とする。
【課題を解決するための手段】
【０００８】
本発明の第１の住宅は、洗濯物の洗濯、乾燥、畳みを行うための洗濯室と、リビングの一部である畳敷きの畳コーナーと、を具備する住宅において、前記洗濯室と前記畳コーナーとの間で前記洗濯物を受渡し可能な収納部を設置することを特徴としている。
【０００９】
本発明の第２の住宅は、前記洗濯室が、キッチンに隣接するとともに調理用電化製品を収納するキッチンクロークと、脱衣洗面室と、にそれぞれ行き来可能に隣接することを特徴としている。
【００１０】
本発明の第３の住宅は、前記洗濯室及び前記畳コーナーが、洗濯物を干すための物干しバーを天井に着脱自在に設置されることを特徴としている。
【００１１】
本発明の第４の住宅は、前記洗濯室が、カウンタを有することを特徴としている。
【００１２】
本発明の第５の住宅は、前記収納部が、前記洗濯室側から開閉可能な第１扉を設置されるとともに、前記畳コーナー側から開閉可能な第２扉を設置されることを特徴としている。
【００１３】
本発明の第６の住宅は、玄関土間、履物を収納するシューズクローク、身支度を整える身支度室、前記リビング間を結ぶ身支度動線を備えることを特徴としている。
【００１４】
本発明の第７の住宅は、前記玄関土間〜玄関ホール間を結ぶ動線と、当該玄関土間〜前記シューズクローク間を結ぶ動線と、を分けていることことを特徴としている。
【発明の効果】
【００１５】
本発明の第１の住宅によると、洗濯家事を行う洗濯室と、リビングの一部に形成された畳コーナーとの間に、両室間で洗濯物の受渡しが可能な収納部を設置するので、リビングから室間を移動することなく収納部を介して容易に洗濯前の衣類や小物類を洗濯室へ持ち運ぶことができる。したがって、居住者は、リビングに散在しがちな洗濯前の部屋着、幼児の着替え、靴下、ハンカチ等を各自洗濯室へ持ち運ぶことを習慣化でき、また、リビングに滞在する居住者は、洗濯室から収納部に保管された洗濯済の洗濯物を各自受け取って自身の収納スペースに持ち運ぶことができるので、居住者各自が主体的に家事を行い易く、無理なく家事の分担と協働を習慣化することができる。また、洗濯室は、洗濯物の洗濯から畳みまでを行うことができるので、重量物となる濡れた洗濯物を持ち運ぶ距離を短縮して洗濯家事を行う居住者の負担を軽減することができる。そして、畳コーナーは、寛ぐ空間としてだけでなく、洗濯室で洗濯して乾燥させた洗濯物が多い場合に収納部から洗濯物を受け取って畳んだり、幼い子供のいる家庭では子供の着替えを畳上でさせてそのまま汚れた衣類を収納部に一時保管したりすることができ、家事を行うスペースとしても活用することができる。
【００１６】
本発明の第２の住宅によると、洗濯室は、キッチンに隣接するキッチンクロークと、脱衣洗面室と、にそれぞれ行き来可能に隣接しているので、洗濯物の相互間での持ち運び、持込みを容易に行うことができ、また、脱衣洗面室で使用するタオル類や、キッチンで使用するふきん等を収納部に保管しておくことでさらに利便性を向上させることができる。
【００１７】
本発明の第３の住宅によると、洗濯室及び畳コーナーは、洗濯物を干すための物干しバーを天井に着脱自在に設置されるので、洗濯して乾燥させる洗濯物が多い場合は、収納部から洗濯物を受け取って畳コーナーでも室内干しすることができ、また、洗濯物が少ない場合は、各室に設置された物干しバーを取外してすっきりとした室とすることができ、利便性を向上させることができる。
【００１８】
本発明の第４の住宅によると、洗濯室はカウンタを有するので洗濯物を洗濯して畳むまでの一連の作業を効率的に行うことができ、また、必要に応じてアイロンを容易に掛けることができる。
【００１９】
本発明の第５の住宅によると、収納部は、洗濯室及び畳コーナーから開閉可能な第１扉と第２扉とを設置されているので、状況に応じて隣室からの視線を遮断することができる。また畳コーナーに面する第２扉を閉めておけば、リビングに滞在する居住者や来客の視界から収納部や洗濯室に保管された雑多な洗濯物を隠蔽することができ、団欒を楽しむリビングと家事を行う洗濯室とを区画してめりはりのある居住空間とすることができる。
【００２０】
本発明の第５の住宅によると、玄関土間、シューズクローク、身支度室、リビングを結ぶ身支度動線を備えているので、身支度室に外出に必要な外出着や鞄、小物類を保管しておけば、外出用品を身につけるために滞在するリビングから自室の収納スペースへ移動する必要がなく、容易に身支度を整えて外出することができる。また、帰宅時にシューズクロークや身支度室を経由して靴や小物、外出着などを保管すれば、リビングに衣類や小物類が散在することがなく、リビングの掃除や片付けにかける時間を最小限に抑えることができ家事効率を向上させることができる。また、身支度室はリビングに隣接しているので、身支度室で着替えた際に洗濯が必要な衣類などが生じた場合、リビングの一部である畳コーナーから収納部を介して洗濯室へ汚れた衣類などを容易に持ち運ぶことができ、各居住者が片付けを習慣化して各所に物が散在することを防止できる。
【００２１】
本発明の第６の住宅によると、玄関土間〜玄関ホール間を結ぶ動線と、玄関土間〜シューズクローク間を結ぶ動線と、を分けているので、来客用の玄関と居住者用の玄関とを分けて来客の視界からシューズクロークや身支度室などに保管された居住者の履物や衣類等を隠蔽でき、生活上散らかりやすい玄関においてすっきりとした印象を来客に与えることができる。
【図面の簡単な説明】
【００２２】
【図１】住宅の１階水平断面図。
【図２】図１のＸ部分拡大断面図。
【図３】図２のＸ’−Ｘ’線断面図。
【図４】図１のＹ部分拡大断面図。
【図５】図４のＹ’−Ｙ’線断面図。
【発明を実施するための形態】
【００２３】
以下、本発明に係る住宅の実施形態について各図を参照しつつ説明する。本願の住宅１は、主に戸建住宅を対象としており、図１は、住宅１の間取りの一例を示すもので、図１は１階の水平断面図を示している。なお、本発明において「左」、「右」、「上」、「下」とは図１における左方向、右方向、上方向、下方向をそれぞれ指すものとする。
【００２４】
まず住宅１の配置構成及び各階の平面構成について説明する。図１に示すように、敷地Ｓは、略矩形状を成しており、上、左、下側の隣地境界線を介して隣地Ｎと接するとともに、右側の道路境界線を介して全面道路Ｒと接道している。住宅１は、敷地Ｓの略中央に配置されており、敷地Ｓの上側には駐車場Ｐが配置され、また、敷地Ｓの右下側にテラスＴ１、左下側に室外干しスペースＴ２が形成されている。そして、住宅１には、住宅１の右上側の外壁に形成された屋外出入口Ｅに設置される屋外出入口扉Ｄから出入りすることができ、屋外出入口Ｅの屋外側に形成された玄関ポーチＡ１から道路境界線までは、タイル敷きのアプローチＡ２によって繋がっている。
【００２５】
また、住宅１の１階は、図１に示すように、右上側に配置される玄関室２、玄関室２の下側に形成される履物を収納するためのシューズクローク３、シューズクローク３の右側に配置される身支度を整えるための身支度室４、シューズクローク３及び身支度室４の下側に配置されるリビング５、リビング５よりも左側に位置する洗濯室６と、リビング５及び洗濯室６との間に配置された収納部７、住宅１の左下側に位置し、リビング５と仕切りの無いひと続きの空間内に形成されるダイニング８及びキッチン９、キッチン９と洗濯室６との間に配置され、主に調理用電化製品などのキッチン用品やゴミ箱、食品ストック等を収納するキッチンクローク１０、洗濯室６の上側に配置される脱衣洗面室１１及び浴室１２、玄関室２の左側に配置される階段室１３及び第１トイレ１４ａ、そして、玄関室２、リビング５、脱衣洗面室１１、階段室１３、第１トイレ１４ａ同士を接続する第１廊下１５ａ、とから構成されており、居住者全員が使用する共用部空間が主となっている。
【００２６】
<玄関室廻りの構成>
続いて、玄関室２廻り、洗濯室６廻り、キッチン９廻りの構成について説明する。玄関室２は、図１及び図２に示すように、住宅１の右上の角部に配置されており、屋外出入口Ｅに面する玄関土間２１と、玄関土間２１よりも床高さが高く、１階の床高さで形成される玄関ホール２２と、を有している。また、玄関土間２１は、下側の第１壁体Ｗ１に形成された第１出入口Ｅ１を介してシューズクローク３と行き来可能に隣接しており、第１出入口Ｅ１には、第１壁体Ｗ１内に引き込まれる第１引き戸Ｄ１が設置されている。そして、玄関ホール２２はリビング５と行き来可能な第１廊下１５ａと仕切りなく隣接している。
【００２７】
シューズクローク３及び身支度室４は、図２に示すように、それぞれ平面視略矩形状に形成される空間であり、玄関土間２１に面するとともに一部屋外空間に突き出している第１壁体Ｗ１、第１壁体Ｗ１の玄関土間２１と反対側の壁面に対向する第２壁体Ｗ２、第１壁体Ｗ１及び第２壁体Ｗ２に直交するとともに、互いに間隔を空けて第１壁体Ｗ１及び第２壁体Ｗ２同士を連結する第３壁体Ｗ３、及び第４壁体Ｗ４に囲われた内部空間を、第１壁体Ｗ１及び第２壁体Ｗ２に直交する第５壁体Ｗ５によって略二等分に区画することにより形成されている。また、両室３、４間は、第５壁体Ｗ５に形成された扉や戸を有しない第２出入口Ｅ２によって行き来可能に隣接しており、身支度室４はシューズクローク３よりも床高さが高く、１階の床高さで形成されている。なお第２壁体Ｗ２は、図１に示すように、シューズクローク３、身支度室４及び第１廊下１５ａと、リビング５とを区画するとともに、洗濯室６と脱衣洗面室１１とを区画しており、図２に示す第３壁体Ｗ３は、シューズクローク３と第１廊下１５ａとを区画している。
【００２８】
図２に示すシューズクローク３は、玄関土間２１と同じ土間空間で、居住者が靴などの履物を脱ぎ着する場所であり、第３壁体Ｗ３に沿って第１収納棚３ａが設置されるとともに、第２壁体Ｗ２に沿って第２収納棚３ｂが設置されている。この第１収納棚３ａ及び第２収納棚３ｂには、履物以外にもアウトドア用品や子供の屋外用玩具など土のついた物品、傘やレインコートなどの雨具を保管しておくことができる。また、第２出入口Ｅ２は第５壁体Ｗ５の略中央に形成されており、第２出入口Ｅ２の幅方向の両側に形成される第５壁体Ｗ５の袖壁が下足のものを保管するシューズクローク３と、上足のものを保管する身支度室４とを緩やかに区画して良好な衛生環境を形成することができる。
【００２９】
そして、図２及び図３に示す身支度室４は、外出時に上着のような外出着や帽子やマフラーなどの小物類を身につけて身支度を整えたり、帰宅時に外出着から室内着に着替えたりするための場所であり、第４壁体Ｗ４に沿って外出着を掛ける第１ハンガーバー４ａ及び外出用の鞄や小物類、住宅１内部で着用する部屋着などを収納する収納ロッカー４ｂが設置され、外出用品や部屋着の一時保管をすることができる。第１ハンガーバー４ａは、屋外で外出着に付着したほこりや花粉などを落としたり、湿気を飛ばすために一時的に仮干しすることができ、また、翌日に着用する外出着を前日などに予め掛けておけば、当日手短に身支度を整えて外出することができる。収納ロッカー４ｂには、居住者それぞれが整理整頓を行えるよう縦横に仕切りを入れて居住者ごとの個人用ロッカー４ｃが形成されており、居住者は、自身の持ち物を各々個人用ロッカー４ｃに収納することができる。また、身支度室４に面する第１壁体Ｗ１の壁面には、コートやマフラー、帽子などを掛けるためにフック４ｄが固定されている。そして、身支度室４に面する第２壁体Ｗ２には、リビング５へ通じる第３出入口Ｅ３が形成されており、この第３出入口Ｅ３に設置された第２引き戸Ｄ２を開閉することで身支度室４とリビング５とが行き来可能となっている。
【００３０】
図２に示すように、第１廊下１５ａは、第２壁体Ｗ２の第１廊下１５ａに面する部分に形成された第４出入口Ｅ４の第３引き戸Ｄ３を開閉することによってリビング５と行き来可能に隣接しており、玄関室２廻りには、玄関土間２１、シューズクローク３、身支度室４、リビング５間を結び、居住者が身支度をしたり、その逆も可能な動線である身支度動線Ｌ１と、玄関土間２１、玄関ホール２２、第１廊下１５ａ、リビング５間を結ぶ来客動線Ｌ２が形成されている。身支度動線Ｌ１は、居住者が外出時及び帰宅時に使用する動線であり、居住者は外出先から帰宅した際、玄関土間２１からシューズクローク３に入室して靴を脱ぎ、そのまま身支度室４に入室して上着などの外出着を脱ぐとともに、鞄や外出時に使用した小物類などを所定の場所へ保管し、個人用ロッカー４ｃに置いてある部屋着に着替えて屋外から居室空間へと移動する。また、外出時は身支度室４に保管された外出着や小物類を装着し、手短に身支度を整えて屋内から屋外へ外出することができる。したがって、居住者は身支度動線Ｌ１を使用することにより、外出着や外出用品をリビング５内部に持ち込んだり部屋着をリビング５に放置することがなく、これらの衣類や物品を各自整理整頓してリビング５に物が散在することを防止できる。そして、外出着等を居室空間に持ち込まないので、外出着に付着した屋外の雑菌や花粉、ほこりなどのリビング５内部への侵入を最小限に抑制して居室空間の衛生環境を良好に保つことができる。また来客時は、第１出入口Ｅ１に設置された第１引き戸Ｄ１を閉めておき、来客を玄関土間２１から玄関ホール２２へ移動する来客動線Ｌ２へ誘導することにより、シューズクローク３や身支度室４に保管された物品を来客の視界に入れることなく来客をリビング５に移動させることができ、来客にすっきりとした玄関室２廻りの空間を印象付けることができる。
【００３１】
<洗濯室廻りの構成>
図１に示すリビング５は、床高さが１階の床レベルよりも低く、居住者が寛ぐためのピットリビング５１と、収納部７に面する畳敷きの畳コーナー５２と、収納部７に隣接するとともに畳コーナー５２に面する収納５３と、を有しており、ピットリビング５１を除く部分の床高さを１階の床高さと同一に形成されている。そして、ピットリビング５１及びダイニング８は、開放的なテラスＴ１に面して配置され、また、畳コーナー５２及び収納５３は、洗濯室６、キッチンクローク１０、及び脱衣洗面室１１など家事を行う非居室に近接して配置されている。畳コーナー５２は、畳上で寛ぐ他に、洗濯物を畳んだり幼い子供を着替えさせたりするための場所でもあり、また、収納５３には、掃除用品や新聞、文房具などリビング５に散在しがちな物品が収納されている。そして、図４及び図５に示すように、畳コーナー５２の天井には、洗濯物を掛ける棒状の第１物干しバー５２ａの両端を支持する吊下げ棒５２ｂを、着脱自在に吊るすことができる吊下げ棒固定具５２ｃが設置されており、洗濯室６で洗って乾燥させる洗濯物が多い場合は、天井に設置した第１物干しバー５２ａに洗濯物を掛けて室内干しをすることができる。なお、畳コーナー５２で乾燥させた洗濯物は、そのまま畳上で畳み、ピットリビング５１に滞在する各居住者へ直接渡して各自の収納スペースへ持ち運んでもらってもよい。
【００３２】
図４及び図５に示す洗濯室６は、洗濯家事を行うための平面視略矩形状に形成された室で、第２壁面Ｗ２に形成された第５出入口Ｅ５の第４引き戸Ｄ４によって脱衣洗面室１１と行き来可能に隣接するとともに、洗濯室６を挟んで第２壁面Ｗ２と対向する第６壁体Ｗ６に形成された第６出入口Ｅ６の第５引き戸Ｄ５によってキッチンクローク１０と行き来可能に隣接している。したがって、キッチン９や脱衣洗面室１１で生じる洗濯が必要な衣類や布類の持ち込み、及び洗濯済みの洗濯物の両室９、１１への持ち運びを短い動線で行うことができ、家事効率を向上させる配置構成となっている。また洗濯室６は、一連の洗濯工程を１つの室で完結させることができる家事室で、例えば、雨天時や夜間など屋外の室外干しスペースＴ２に洗濯物を干すことができない場合は、洗濯機６ａで洗った洗濯物を畳コーナー５２と同様に天井に着脱自在に設置された第１物干しバー５２ａ及び天井に固定され、高さ方向に移動可能な第２物干しバー６ｂに掛けて乾燥させ、洗濯機６ａに隣接するカウンタ６ｃで乾いた洗濯物を畳むことができる。なお、図４に示すように、洗濯室６は、第２壁体Ｗ２及び第６壁体Ｗ６に直交する外壁体である第７壁体Ｗ７によって屋外空間と区画されており、第７壁体Ｗ７に形成された開口部Ｏ１の腰窓Ｄ６を開けて換気することによって洗濯物を効率的に乾燥させることができる。また、洗濯室６内にサーキュレータや除湿機を設置してより手早く洗濯物を乾燥させてもよい。このように、１つの室で洗濯物を洗って畳むまでの洗濯家事を行うことができるので、家事効率を向上させることができる。なお晴天時の日中は、洗濯室６で洗った洗濯物をキッチンクローク１０及びキッチン９を通過して室外干しスペースＴ２に干すことができる。
【００３３】
図４に示す収納部７は、畳コーナー５２と洗濯室６との間に配置され、畳コーナー５２〜洗濯室６間で洗濯物の受け渡しが可能となっている。図５に示すように、収納部７内部には、洗濯前後の洗濯物やアイロン台、洗濯用備品などを載置する棚板７ａや、洗濯物を掛ける第２ハンガーバー７ｂが設置されており、棚板７ａ及び第２ハンガーバー７ｂに設置された洗濯物は、畳コーナー５２及び洗濯室６の両側から取り出すことができる。また収納部７は、洗濯室６側から開閉可能な第１扉Ｄ７を設置されるとともに、畳コーナー５２側から開閉可能な第２扉Ｄ８を設置されており、必要に応じて各扉Ｄ７、Ｄ８を閉じることによって、収納部７を挟んで対向する隣室からの視線を遮断することができる。したがって、第１扉Ｄ７を閉めておけば、リビング５に滞在する居住者の話し声やＴＶの音を気にすることなく洗濯家事に集中することができ、また、第２扉Ｄ８を閉めておけば、畳コーナー５２やリビング５から洗濯室６や収納部７内部の雑多な洗濯物を隠蔽することができ、リビング５で快適に寛ぐことができる。反対に、幼い子供を畳コーナー５２に滞在させた状態で畳コーナー５２から洗濯室６に移動する必要がある場合は、あらかじめ第２扉Ｄ８を開けておき、洗濯室６に移動して第１扉Ｄ７を開ければ、畳コーナー５２にいる子供の様子を窺いながら洗濯室６で洗濯家事を行うことができる。
【００３４】
このようにリビング５の一部である畳コーナー５２と洗濯室６との間に収納部７を配置することにより、居住者はリビング５から洗濯室６へ室間を移動することなく、各自で洗濯前の部屋着、靴下、ハンカチ等の小物類、使用後の子供の着替え等を収納部７を介して容易に洗濯室６へ持ち込むことができ、これらの衣類等がリビング５に散在することを効果的に防止することができる。また、畳コーナー５２で畳んだ洗濯物をキッチンクローク１０や脱衣洗面室１１に収納する必要がある場合は、畳コーナー５２から収納部７に洗濯物を一時保管しておき、洗濯室６で洗濯家事を行う際に洗濯室６側から一時保管した洗濯物を受け取ってキッチンクローク１０や脱衣洗面室１１に洗濯物を持ち運び収納することができる。したがって、リビング５からキッチンクローク１０及び脱衣洗面室１１へ移動せずに洗濯物を各室へ持ち運ぶことができるので、利便性を向上させることができる。そして、洗濯室６で洗って乾燥させた洗濯物が多い場合は、収納部７を介して畳コーナー５２へ乾いた洗濯物を受渡し、そのまま畳コーナー５２で畳んでアイロン掛けをしてもよく、洗濯物を畳む居住者は、リビング５に滞在する他の居住者とコミュニケーションを取りながら家事を行うことができる。
【００３５】
また、図１に示す身支度室４はリビング５に面しているので、居住者は帰宅時に身支度室４で着替えた後、着替えの際に生じた洗濯が必要な外出着やハンカチ、靴下、及び部屋着などの洗濯物を持ち、そのまま第３出入口Ｅ３を通過してリビング５の畳コーナー５２へと持ち運び、収納部７を介して洗濯室６に洗濯物を受渡すことができる。したがって、身支度室４からリビング５に入室した後に、第４出入口Ｅ４から第１廊下１５ａ、脱衣洗面室１１を通過して洗濯室６にこれらの洗濯物を持ち運ぶ必要がなく、居住者は短い動線、且つ、生活動線に従って洗濯物を持ち運ぶことができ、利便性を向上させることができる。
【００３６】
このように、身支度室４及び収納部７が居住者の集まるリビング５に面しているので、各居住者は無理なく片付けや整理整頓を習慣化することができ、リビング５に部屋着などの衣類が散在することを効果的に防止してリビング５の掃除や片付けにかける時間を最小限に抑え、家事効率を向上させることができる。
【００３７】
<キッチン廻りの構成>
キッチン９には、調理工程を分担しやすいように食器類を洗ったり調理の下ごしらえなどを行う流し台９ａと、加熱調理を行う加熱コンロ台９ｂと、を分けて設置しており、居住者全員で調理や片付けを協力して行いやすい構成となっている。流し台９ａは、長手方向をダイニング８に向けて設置されており、加熱コンロ台９ｂは、流し台９ａと長手方向を揃え、通路を挟んで流し台９ａに平行に配置されている。流し台９ａと加熱コンロ台９ｂとの間の距離Ｚは、１１００ｍｍ〜１３００ｍｍ程度で形成されており、それぞれの調理台９ａ、９ｂで居住人が背中合わせで調理を行える寸法となっている。また、キッチン９は、隣接するキッチンクローク１０と第８壁体Ｗ８によって区画されるとともに、第８壁体Ｗ８の略中央に形成された第７出入口Ｅ７によって行き来可能に連通している。
【００３８】
図１に示すキッチンクローク１０は、冷蔵庫１０ａや電子レンジ、炊飯器、ミキサー、オーブントースターなど（図示しない）の主に調理用電化製品を設置するスペースで、これらの調理電化製品を収納するための棚板１０ｂに調理に使用する備品やストック品等を併せて載置したり、また、棚下にキッチン用ゴミ箱などを併せて収納したりしてもよい。このように、調理を行うキッチン９と調理に関する電化製品や備品等を収納するキッチンクローク１０とを分けることによって、居住者全員が食に関する収納物の所在を容易に把握することができ、食事に関する家事に参加しやすい環境を構築することができる。そして、キッチンクローク１０を形成することにより、雑多な調理用電化製品や調理用備品などが隠蔽されてキッチン９の意匠性を向上させることができ、さらに第７出入口Ｅ７がリビング５及びダイニング８に面して形成されていないので、リビング５やダイニング８に滞在する居住者や来客は、快適に団欒や食事を楽しむことができる。
【００３９】
このように、本願の住宅１は、玄関室２やリビング５といった居住者全員が必ず通過し、集う空間と、洗濯家事を行う洗濯室６とに繋がりを持たせ、また、キッチン９とキッチンクローク１０とを分けた配置構成とすることによって、各居住者に無理なく整理整頓や家事の分担を習慣化させつつ雑多な印象を与えない快適な住宅とすることができる。
【００４０】
本発明の実施の形態は上述の形態に限ることなく、本発明の思想の範囲を逸脱しない範囲で適宜変更することができる。
【産業上の利用可能性】
【００４１】
本発明に係る住宅１は、共働きの夫婦が居住する戸建住宅に好適に使用することができる。
【符号の説明】
【００４２】
１        住宅
２１      玄関土間
２２      玄関ホール
３        シューズクローク
４        身支度室
５        リビング
５２      畳コーナー
５２ａ    物干しバー（第１物干しバー）
６        洗濯室
６ｃ      カウンタ
７        収納部
９        キッチン
１０      キッチンクローク
１１      脱衣洗面室
Ｄ７      第１扉
Ｄ８      第２扉
Ｌ１      身支度動線
【図１】
2020105870.tif 000003
【図２】
2020105870.tif 000004
【図３】
2020105870.tif 000005
【図４】
2020105870.tif 000006
【図５】
2020105870.tif 000007